(57)【要約】【課題】ペットの抜け毛等を効率よく付着させ、かつ容易に除去することができる敷物を提供する。【解決手段】敷物本体１が表面層２とバッキング層３とから形成された複層構造の敷物であって、表面層２を傾斜パイル群２ａにより形成したことから、傾斜パイル群２ａにペットの抜け毛等を効率よく付着させることができるため、ペットの抜け毛等が室内に飛散するのを未然に防止することができる上、一旦付着したペットの抜け毛等は、他の繊維に付着することが少ないため、表面にペットの抜け毛等が付着した敷物本体１上に衣服等が接触しても、衣服等にペットの抜け毛等が再付着するのを未然に防止することができる。  また掃除手段５によりこまめに敷物本体１に付着したペットの抜け毛等を掃除することにより、所謂死毛を抑制することができるため、ペットの新陳代謝を妨げることにより発生するペットの病気を予防することができる。【選択図】図３
2009090044.tif 000002
【特許請求の範囲】
【請求項１】
敷物本体が表面層とバッキング層とから形成された複層構造の敷物であって、前記表面層を傾斜パイル群により形成したことを特徴とする敷物。
【請求項２】
前記バッキング層の裏面に、摩擦係数の大きい素材により形成された滑り止め層を形成してなる請求項１に記載の敷物。
【請求項３】
複数のタイル部材を互いに接合することにより前記敷物本体を形成すると共に、前記各タイル部材の接合面に係脱自在な連結手段を設けてなる請求項１または２に記載の敷物。
【請求項４】
少なくとも一部に傾斜パイル群が設けられ、かつ前記表面層の表面を払拭することにより前記表面層に付着したペットの抜け毛等を除去する清掃手段を前記敷物本体と組み合わせてなる請求項１ないし３の何れかに記載の敷物。
【発明の詳細な説明】
【技術分野】
【０００１】
本発明は、表面に付着したペットの抜け毛や髪の毛等（以下ペットの抜け毛等という）を効率よく付着させ、また容易に除去することができる敷物に関する。
【背景技術】
【０００２】
従来犬や猫等のペットは、季節の変わり目、特に春から夏にかけて抜け毛が発生することが多い。
室内で飼っているペットから抜けた抜け毛は、衣服や敷物等の繊維類に付着することが多く、一度繊維類に付着した抜け毛は、取り除くのに多くの時間と手間を必要とする。
特にカーペット等の敷物に広範囲に付着したペットの抜け毛等を掃除機で掃除しようとしても、敷物の表面に絡み付いた抜け毛は、掃除機の吸引力では簡単に取り除くことができない。
【０００３】
このため従来では、例えば特許文献１に記載された粘着テープ式掃除具等を使用して、敷物に付着したペットの抜け毛等を取り除く作業を行っている。
【特許文献１】特開平１１−２０６６９８号公報
【発明の開示】
【発明が解決しようとする課題】
【０００４】
しかし前記特許文献１に記載の粘着テープ式掃除具のように粘着ローラを使用したものでは、敷物の表面に広範囲に付着したペットの抜け毛等を取り除くのに多くの時間と労力を必要とする上、敷物の表面を形成するパイル繊維に強固に絡み付いた抜け毛は簡単に取り除くことができないと共に、敷物に付着したまま長期間放置したペットの抜け毛等は、所謂死毛と称してペットの新陳代謝を妨げるためペットの健康を害するばかりか、死毛が室内に飛散すると喘息やアトピー疾患等の持病がある人の健康にも悪影響を及ぼす等の問題がある。
【０００５】
また前記特許文献１に記載の掃除具のように粘着ローラを用いたものでは、粘着ローラの表面に抜け毛やゴミ、ホコリ等が付着して付着力が低下した場合、粘着ローラの粘着テープを剥離して新たな粘着面を表出させることにより粘着力の回復作業を行うが、敷物は面積が広い上、ペットの抜け毛等は日常的に発生することから、敷物に付着したペットの抜け毛等を毎日掃除するのに多量の粘着テープを消費するため、不経済である等の問題もある。
本発明はかかる問題を改善するためになされたもので、ペットの抜け毛等を効率よく付着させ、また容易に除去することができる敷物を提供することを目的とするものである。
【課題を解決するための手段】
【０００６】
本発明の敷物は、敷物本体が表面層とバッキング層とから形成された複層構造の敷物であって、表面層を傾斜パイル群により形成したものである。
【０００７】
前記構成により、ペットの抜け毛や髪の毛等の繊維状物を付着しやすい性質を有する傾斜パイル群によりペットの抜け毛等を効率よく付着させることができるため、ペットの抜け毛等が室内へ飛散するのを未然に防止でき、これによって喘息やアトピー疾患等の持病がある人に対する健康に悪影響を及ぼす等の問題を解消することができる。
また一旦付着したペットの抜け毛等は、他の繊維類に付着することが少ないため、表面にペットの抜け毛等が付着した敷物本体上に衣服等が接触しても、衣服等にペットの抜け毛等が再付着するのを未然に防止することができる。
【０００８】
本発明の敷物は、バッキング層の裏面に、摩擦係数の大きい素材により形成された滑り止め層を形成したものである。
【０００９】
前記構成により、敷物本体の裏面に設けられた滑り止め層が床面に接して敷物本体のずれを防止するため、敷物本体上を人が歩行し、また子供やペットが駆け回っても敷物本体がずれることが少ない。
【００１０】
本発明の敷物は、複数のタイル部材を互いに接合することにより敷物本体を形成すると共に、各タイル部材の接合面に係脱自在な連結手段を設けたものである。
【００１１】
前記構成により、タイル部材の敷設作業が容易かつ能率よく行える上、敷設後敷物本体上を歩行しても各タイル部材間に隙間が生じたり、タイル部材の位置が不揃いとなることがない。
また各タイル部材間を簡単に分離することができることから、ペットが敷物本体上で失禁したり、嘔吐するなどして敷物本体が汚損された場合は、汚損された部分のタイル部材を取り外して簡単に洗濯することができるため、敷物本体全体を洗濯する場合に比べて洗濯が容易な上、汚損部分を洗濯することにより、敷物を敷き詰めた室内全体を常に清潔な状態に維持することができる。
【００１２】
本発明の敷物は、少なくとも一部に傾斜パイル群が設けられ、かつ表面層の表面を払拭することにより表面層に付着したペットの抜け毛等を除去する清掃手段を敷物本体と組み合わせたものである。
【００１３】
前記構成により、掃除手段の傾斜パイル群の方向を、表面層の傾斜パイル群と逆にして表面層の表面を払拭することにより、表面層の表面に付着していたペットの抜け毛等が掃除手段のナイロン（登録商標：以下同様）パイル繊維側へ付着されるため、表面層に付着したペットの抜け毛等を短時間で容易に除去することができる。
また掃除手段によりこまめに敷物本体を掃除することにより、死毛の発生を抑制することができるため、ペットの新陳代謝を妨げることにより発生するペットの病気を確実に予防することができると共に、日常的に発生するペットの抜け毛等が敷物の広い面積に付着しても、粘着テープ等を使用せずに除去することができるため経済的でもある。
【発明の効果】
【００１４】
本発明の敷物によれば、傾斜パイル群によりペットの抜け毛等を効率よく敷物本体に付着させることができるため、ペットの抜け毛等が室内に飛散するのを未然に防止することができる上、一旦付着したペットの抜け毛等は、他の繊維に付着することが少ないため、表面にペットの抜け毛等が付着した敷物本体上に衣服等が接触しても、衣服等にペットの抜け毛等が再付着するのを未然に防止することができる。
また掃除手段によりこまめに敷物本体に付着したペットの抜け毛等を掃除することにより死毛を抑制することができるため、ペットの新陳代謝を妨げることにより発生するペットの病気を確実に予防することができる。
【発明を実施するための最良の形態】
【００１５】
本発明の実施の形態を、図面を参照して詳述する。
図１はカーペットのような敷物の平面図、図２は同側面図、図３は図２のＡ円内の拡大図、図４は敷物に付着したペットの抜け毛等を除去する掃除手段の説明図である。
図１に示す敷物本体１は、使用する部屋の大きさに合せて規格化された例えば正方形や、長方形等の形状に予め製作されているが、原反を部屋の大きさに合せてカットし、床面全体に敷き詰める形態、または後述するタイルカーペットの形態であってもよい。
【００１６】
敷物本体１は表面層２とバッキング層３及び滑り止め層４とからなる複層構造となっていて、表面層２には、ペットの抜け毛等が付着しやすい傾斜パイル群２ａを基布地２ｂに編み込んだ例えば日本シール株式会社製のナイロンパイル繊維が使用されている。
表面層２に使用されているナイロンパイル繊維は、図３の拡大図に示すように基布地２ｂに表面に、上端側が一方向へ傾斜する傾斜パイル群２ａを編み込んだ構造となっていて、ペットの抜け毛や髪の毛等の繊維状物を付着しやすい性質を有している。
【００１７】
また一旦付着されたペットの抜け毛等は、他の繊維類に付着しにくいことから、表面にペットの抜け毛等が付着した敷物本体１上に衣服等が接触しても、衣服等にペットの抜け毛等が再付着されることが少ない上、後述する掃除手段５を使用することにより、表面層２に付着したペットの抜け毛等を容易に取り除くことができる。
敷物本体１の中間層を形成するバッキング層３は、ポリエステル繊維や、ナイロン繊維等の合成繊維、木綿等の天然繊維からなる織布、もしくはスパンボンド不織布やニードルパンチ不織布等の不織布等により形成されていて、このバッキング層３の上面全体に表面層２が接着や縫着等の手段で接合されている。
【００１８】
バッキング層３に裏面に設けられた滑り止め層４は、床面上に敷いた敷物本体１が表面に加わる斜め方向からの荷重によりずれるのを防止するためのもので、バッキング層３の裏面全体、または一部に形成されている。
滑り止め層４は、床面との摩擦係数が大きい素材、例えばアクリル系重合体を有するエマルジョンに発泡助剤、架橋剤を加えて混練し、バッキング層３の裏面に均一に塗布することにより形成するか、摩擦係数の大きい天然ゴムや合成ゴム等により形成されたゴムシートをバッキング層３の裏面に接着することにより形成されている。
【００１９】
一方敷物本体１の表面層２に付着されたペットの抜け毛等を除去する掃除手段５は、例えば図４に示すように手袋５ａの一部に、傾斜パイル群２ａを基布地２ｂに織り込んだ前記表面層２と同様なナイロンパイル繊維５ｂを逢着した構造となっている。
ナイロンパイル繊維５ｂの縫着位置としては、手袋５ａを手に嵌めた際に手の平が当る部分が適当であるが、手の甲が当る部分にもナイロンパイル繊維５ｂを逢着しておくことにより、手袋５ａの上下面が掃除に使用できるようになるため、使用寿命が倍増する。
【００２０】
次に前記構成された敷物の作用を説明する。
図１に示すような予め部屋の大きさに合せて製作された敷物本体１は、部屋の床面に敷いて使用するが、このとき敷物本体１の裏面に設けられた滑り止め層４が床面に接して敷物本体１のずれを防止するため、敷物本体１上を人が歩行したり、子供やペットが駆け回っても敷物本体１がずれることが少ない。
また敷物本体１上に図８に示すように犬等のペットが寝転ぶと、ペットの皮膚から抜けた状態にある、所謂浮き毛や抜け毛等が敷物本体１の表面層２に付着される。
すなわち表面層２を形成する傾斜パイル群２ａは、ペットの抜け毛や髪の毛等の繊維状物が付着しやすい性質を有していることから、ペットの浮き毛や抜け毛等が表面層２に接触するだけで傾斜パイル群２ａに効率よく付着させることができ、これによってペットの抜け毛等が室内に飛散するのを防止することができると共に、一旦付着したペットの抜け毛等は、他の繊維類に付着することが少ないため、表面にペットの抜け毛等が付着した敷物本体上に衣服等が接触しても、衣服等にペットの抜け毛等が再付着するのを未然に防止することができる。
【００２１】
一方ペットの抜け毛等が多量に付着した場合は、掃除手段５の手袋５ａを手に嵌めた状態で、表面層２を形成する傾斜パイル群２ａの傾斜方向へ手袋５ａを移動させ、掃除手段５のナイロンパイル繊維５ｂで表面層２の表面を払拭する。
このとき掃除手段５の傾斜パイル群２ａの方向を、表面層２の傾斜パイル群２ａと逆にすることにより、いままで表面層２の傾斜パイル群２ａに付着されていたペットの抜け毛等が掃除手段５のナイロンパイル繊維５ｂ側へ強制的に付着されるため、表面層２の表面上に付着されたペットの抜け毛等を容易に除去することができるようになる。
以下上記作業を表面層２のほぼ全体に亘って繰り返すことにより、敷物本体１の表面に付着したペットの抜け毛等を短時間で容易かつ能率よく除去することができるようになる。
【００２２】
一方図５及び図６は、タイルカーペットよりなる別の敷物の実施の形態を示すもので、次にこれを説明する。
タイルカーペットよりなる敷物本体１は、定尺の例えば５０ｃｍ角に形成された複数のタイル部材７により形成されている。
タイル部材７は、前記実施の形態と同様に表面層２とバッキング層３及び滑り止め層４の複層構造からなり、使用されている素材も前記実施の形態と同様なので、その説明は省略する。
【００２３】
タイルカーペットよりなる敷物本体１は、複数のタイル部材７を部屋の床面に敷き詰めて使用するが、使用している間にタイル部材７の間に隙間が生じたり、一部のタイル部材７がずれて位置が不揃になることがある。
これを防止するため、各タイル部材７の四方の各辺に連結手段８が設けられている。
連結手段８は各タイル部材７間を縦横に隙間なく連結するもので、例えば図６に示すような面状ファスナ９により形成されている。
面状ファスナ９は、フック状の係止部９ａと、繊維よりなる環状部９ｂとからなり、係止部９ａと環状部９ｂを互いに係合することより、各タイル部材７を隙間なく連結することができるようになっている。
【００２４】
また各タイル部材７を連結した際、表面層２の傾斜パイル群２ａの傾斜方向が一定となるように、連結手段８の係止部９ａと環状部９ｂは次のように各辺に配置されている。
すなわちタイル部材７の一方の縦辺、例えば右辺と上辺に係止部９ａを設けた場合、他方の縦辺、例えば左辺と下辺に環状部９ｂが設けられている。
これによって右辺の係止部９ａと左辺の環状部９ｂを互いに係合し、上辺の係止部９ａと下辺の環状部９ｂを互いに係合することにより、傾斜パイル群２ａの傾斜方向が一定となるため、傾斜パイル群２ａに付着した抜け毛等を掃除手段５で掃除する際、掃除手段５を一方向へ移動させるだけで傾斜パイル群２ａに付着した抜け毛等を除去することができるようになり、掃除が一層容易となる。
【００２５】
前記のように構成されたタイルカーペットよりなる敷物本体１は、複数のタイル部材７を互いに連結しながら部屋の床面に敷き詰めて使用するもので、ペットの抜け毛等が付着した際の掃除方法は前記実施の形態と同様なのでその説明は省略するが、敷き込み後でも各タイル部材７間を簡単に分離することができることから、ペットが敷物本体１上で失禁したり、または、嘔吐するなどして敷物本体１の一部が汚損された場合は、汚損された部分のタイル部材７を取り外して簡単に洗濯することができるため、敷物本体１全体を洗濯する場合に比べて洗濯が容易である。
また汚損部分を洗濯することにより、敷物を敷き詰めた室内全体を常に清潔な状態に維持することができる上、洗濯しても汚れが落ちない場合は、その部分のタイル部材７のみを新しいタイル部材７と交換することにより、引き続き敷物本体１を使用することができるため、大変経済的である。
【００２６】
なお前記実施の形態で説明した敷物本体１を犬小屋や猫の寝床の大きさに合せて製作し、犬小屋や猫の寝床に敷いて使用してもよく、この場合ペットが寝ている間に抜け毛を強制的に表面層２へ付着させることができるため、ペットの体毛に絡み付いている抜け毛の量を軽減できる効果がある。
またタイル部材７を連結する連結手段８としては、面状ファスナ９の他に、図７に示すようにタイル部材７の端面に互に係脱自在な凹凸からなる係合部９ｃ、９ｄを形成して、これら係合部９ｃ、９ｄを互いに係合することにより、各タイル部材７間を連結するようにしてもよく、その他の連結方法を採用しても勿論よい。
【００２７】
さらに傾斜パイル群２ａよりなるナイロンパイル繊維には、前述したようにペットの抜け毛を効率よく付着させる効果があることから、敷物の表面のみならず、座布団やクッション、ソファー及びこれらのカバー類、衣服等に予め傾斜パイル群２ａを設けて、ペットの浮き毛や抜け毛等を傾斜パイル群２ａに効率よく付着させることにより、ペットの抜け毛等が室内に飛散するのを防止することができる。
また前記実施の形態では、敷物本体１の裏面に滑り止め層４を形成したが、敷物を両面テープ等の手段で床面に直接固定する場合は、滑り止め層４を省略してもよい。
【図面の簡単な説明】
【００２８】
【図１】本発明の実施の形態になる敷物の平面図である。
【図２】本発明の実施の形態になる敷物の側面図である。
【図３】図２のＡ円内の拡大図である。
【図４】本発明の実施の形態になる敷物に使用する掃除手段の説明図である。
【図５】本発明の別の実施の形態になる敷物の平面図である。
【図６】図５のＢ円内の拡大図である。
【図７】本発明の別の実施の形態になる敷物に使用する連結手段の変形例を示す平面図である。
【図８】本発明の別の実施の形態になる敷物の使用状態の説明図である。
【符号の説明】
【００２９】
１    敷物本体
２    表面層
２ａ    傾斜パイル群
２ｂ    基布地
３    バッキング層
４    滑り止め層
５    掃除手段
５ａ    手袋
５ｂ    ナイロンパイル繊維
７    タイル部材
８    連結手段
【図１】
2009090044.tif 000003
【図２】
2009090044.tif 000004
【図３】
2009090044.tif 000005
【図４】
2009090044.tif 000006
【図５】
2009090044.tif 000007
【図６】
2009090044.tif 000008
【図７】
2009090044.tif 000009
【図８】
2009090044.tif 000010